(57)【要約】【課題】  従来の扇風機のプロペラの各プロペラ片の上下片の複雑な構造を改良し、より簡単な構造にし、且つ網状部の構造を改良して便利に取り付けられる扇風機のプロペラを提供する。【解決手段】  モーターの回転軸と連結する中心孔を持つ軸台の外周囲から外に放射状に伸びる複数（本発明は三個を例にする）のプロペラ片３２を設置し、各プロペラ片３２は更に一個又は複数の網状部３３を一体に成形し、この網状部３３に凹み部３５を形成して非織り布材４をその中に固設して、網状部３３に重ね合わせるように設置して、空気中のほこりを濾過できるようにし、更に濾過の作用を強化するために非織り布材４の表面に活性カーボンの濾過材５を噴き付けて置く扇風機のプロペラである。【選択図】    図３
2005171887.tif 000002
【特許請求の範囲】
【請求項１】
軸台と、前記軸台の中心部に設置され扇風機のモーターの回転軸がさしこまれて連結される中心孔と、前記軸台の外周部から放射状に伸び出る複数のプロペラ片とで構成される扇風機のプロペラにおいて、
前記各プロペラ片は一体に形成される網状部を持ち、前記網状部は多数の密接した網目を持ち、更に前記網状部は凹み部を形成し、前記凹み部に非織り布材を固くはり付け、前記非織り布材はその表面に接着剤を噴き付けておき、更に前記接着材の上に濾過材を噴き付けていることを特徴とする一種の扇風機のプロペラ。
【請求項２】
前記プロペラ片の前記網状部の網目は正方形であることを特徴とする請求項１記載の扇風機のプロペラ。
【請求項３】
前記プロペラ片の前記網状部の網目は円形であることを特徴とする請求項１記載の扇風機のプロペラ。
【請求項４】
前記プロペラ片の前記網状部の網目は任意の形状であることを特徴とする請求項１記載の扇風機のプロペラ。
【請求項５】
前記網状部は一個であることを特徴とする請求項１記載の扇風機のプロペラ。
【請求項６】
前記網状部は複数であることを特徴とする請求項１記載の扇風機のプロペラ。
【請求項７】
前記濾過材は活性カーボンであることを特徴とする請求項１記載の扇風機のプロペラ。
【請求項８】
前記濾過材は香料を持つことを特徴とする請求項１記載の扇風機のプロペラ。
【請求項９】
前記濾過材は悪臭除去をする香料を持つことを特徴とする請求項１記載の扇風機のプロペラ。
【発明の詳細な説明】
【技術分野】
【０００１】
本発明は、扇風機に使用されるプロペラの構造に関するものである。
【背景技術】
【０００２】
図１は下記特許文献１に公開された従来の扇風機のプロペラの第一種であり、一体に成形された軸台１０と、この軸台１０の外周部１１から放射状に設置される複数のプロペラ片１２とで構成される。更に各プロペラ片１２は中空部１３を形成し、更に中空部１３を包囲する外周部には複数の留め具（めす留め具又はおす留め具；或いはベリクロバンド）１３１を加設している。更にその外に複数の各プロペラ片１２と同じ形を持ち且つ留め具１３１と咬み合う留め具（おす留め具又はめす留め具；或いはベルクロバンド）１４１をその外周部１４０に加設している複数の濾過片１４を持っている。そしてこれらの濾過片１４はプロペラ片１２の中空部１３の中にはまり付けられて空気の濾過を行なう。
【０００３】
しかし、この第一種の従来の扇風機のプロペラは各プロペラ片に留め具１３１を持ち、各濾過片１４の引き留め具１４１と咬み合って構成されているのでプロペラの全体の重量がより重くなり、扇風機のモーターの電気の消耗を増加させる原因となる。その他、留め具１３１は金属又はプラスチック材のプロペラ片１２に正確な位置に配置されなければ、プロペラ片が回転する時にバランスが悪くモーターの回転軸が消耗しやすくなり、欠点を補修するのに相当の時間と労力がかかり、コストが高くつく。
【０００４】
次に図２は下記特許文献２で公告された第二種の従来の扇風機のプロペラ２で、吊り下げ扇風機で、複数のプロペラ片２０を持ち、各プロペラ片２０は更に上片２００と下片２０１とで構成され、上片２００と下片２０１とはその表面に複数の孔２０２と２０３と、両側に設けられるひっかけ具２０４とひっかけ溝２０５とを持ち、濾過片２１が上下片２００、２０１の間に挟まれて設置され、空気中のほこりをすき除く。
上述の第二種の従来の扇風機のプロペラはその各プロペラ片が上片と下片とで構成され、吊り下げ扇風機にだけ適用されるが、その回転速度は普通の卓上や地面上の扇風機よりとてもおそく、且つプロペラ片は大部分手動式でその角度を調整する。
【０００５】
【特許文献１】台湾特許第４３１５６３号  公開公報
【０００６】
【特許文献２】台湾特許第４６３８８５号  公告公報
【発明の開示】
【発明が解決しようとする課題】
【０００７】
本発明の目的は、従来の扇風機のプロペラの各プロペラ片の上下片の複雑な構造を改良し、より簡単な構造にし、且つ網状部の構造を改良して便利に取り付けられる扇風機のプロペラを提供することである。
【課題を解決するための手段】
【０００８】
本発明はモーターの回転軸と連結する中心孔を持つ軸台の外周囲から外に放射状に伸びる複数（本発明は三個を例にする）のプロペラ片を設置し、各プロペラ片は更に一個又は複数の網状部を一体に成形し、この網状部に凹み部を形成して非織り布材をその中に固設して、網状部に重ね合わせるように設置して、空気中のほこりを濾過できるようにする。更に濾過の作用を強化するために非織り布材の表面に活性カーボンの濾過材を噴き付けて置く。又空気の品質をよくするために、濾過材の代わりに香料を吹き付けることもできる。
本発明の各プロペラ片は一体に成形されるので製造が迅速にでき、網状部は非織り布材と共用して空気中のほこりを濾過できる。
【発明を実施するための最良の形態】
【０００９】
本発明の実施例による扇風機のプロペラは図３および図４に示すように、一体に成形され、軸台３と、軸台３の中央に設けられてモーターの回転軸に貫通させる中心孔３０と、軸台３の外周部３１から放射状に伸びている複数のプロペラ片３２とで構成される。それでモーターの回転軸はプロペラを回転させる。又プロペラ片３２は実際の必要により２片以上設けられる。更に各プロペラ片３２は一体に成形される網状部３３を持ち、この網状部３３は多数の網目３４を持ち、各編目３４の形状は、正方形か円形か、或いはどんな形でもよく、空気が流通できればよい。又この網状部は図７、図９、図１０、図１１および図１２に示すように一箇所に付けるか、又は図８に示すように複数の箇所に付けてもさしつかえない。網状部３３はどんな形状でもよく、図３、図９、図１１および図１２に示す扇形や、図１０に示す円形や、図７および図８に示す楕円形にすることができる。更に網状部３３は凹み部３５を付設することも可能で、この凹み部３５には非織り布材４をはめ付け固設する。又更に非織り布材４の表面に接着剤を噴き付けてから更に濾過材５、たとえば、活性カーボンを噴き付けることができる。或いは芳しい香を発出する材料とか、悪い香を消す香料などを図５および図６のように塗粧してもよく、それで空気の品質を高めることができる。
【００１０】
本発明の扇風機のプロペラはその各プロペラ片が一体で成形されて作られるのでその製造の速度が速く且つコストも安くなり、且つその網状部に活性カーボンや香味材料を噴き付けた非織り布材を持つので空気の中のほこりを濾過して品質を高められる。
【図面の簡単な説明】
【００１１】
【図１】従来の扇風機のプロペラの分解正面図である。
【図２】別の従来の扇風機のプロペラの分解斜視図である。
【図３】本発明の第一実施例による扇風機のプロペラの濾過片を未だ付けてない状態を示す後面図である。
【図４】図３のＩ−Ｉ線の断面図である。
【図５】図３の後面図である。
【図６】図５のII−II線の断面図である。
【図７】本発明の第二実施例による扇風機のプロペラを示す前面図である。
【図８】本発明の第三実施例による扇風機のプロペラを示す前面図である。
【図９】本発明の第四実施例による扇風機のプロペラを示す前面図である。
【図１０】本発明の第五実施例による扇風機のプロペラを示す前面図である。
【図１１】本発明の第六実施例による扇風機のプロペラを示す前面図である。
【図１２】本発明の第七実施例による扇風機のプロペラを示す前面図である。
【符号の説明】
【００１２】
３  軸台、３０  軸孔、３１  外周部、３２  プロペラ片、３３  網状部、３４  網状部孔、３５  凹み部、４  非織り布部、５  濾過材
【図１】
2005171887.tif 000003
【図２】
2005171887.tif 000004
【図３】
2005171887.tif 000005
【図４】
2005171887.tif 000006
【図５】
2005171887.tif 000007
【図６】
2005171887.tif 000008
【図７】
2005171887.tif 000009
【図８】
2005171887.tif 000010
【図９】
2005171887.tif 000011
【図１０】
2005171887.tif 000012
【図１１】
2005171887.tif 000013
【図１２】
2005171887.tif 000014